(57)【要約】【課題】通気抵抗を小さくして吸気効率を良好に維持することができる内燃機関の吸気装置を供する。【解決手段】吸気通路(P)が部分的に仕切り機構(70)により上側吸気通路(Up)と下側吸気通路(Lp)に仕切られ、仕切り機構(70)は、支持部(71)に摺動自在に支持された延出スライド板(72)が吸気下流側に延出し吸気ポート(44)の湾曲部に進退自在に設けられる内燃機関の吸気装置。【選択図】図６
2013213409.tif 000002
【特許請求の範囲】
【請求項１】
シリンダブロック(16)のシリンダボア(16b)内を摺動自在に嵌合されるピストン(25)の頂面と同頂面が対向するシリンダヘッド(17)の天井面(41)との間に燃焼室(40)が構成され、
前記シリンダヘッド(17)の前記天井面(41)に開口した吸気弁口(42)と排気弁口(43)から各々吸気ポート(44)と排気ポート(45)が互いに離れる方向に湾曲しながら延出して形成され、
吸気ポート(44)にインレットパイプ(20)が接続されて連続した吸気通路(P)が構成され、
前記インレットパイプ(20)にスロットル弁(22)が設けられた内燃機関の吸気装置において、
前記吸気通路(P)が部分的に仕切り機構(70)により上側吸気通路(Up)と下側吸気通路(Lp)に仕切られ、
前記仕切り機構(70)は、支持部(71)に摺動自在に支持された延出スライド板(72)が吸気下流側に延出し吸気ポート(44)の湾曲部に進退自在に設けられることを特徴とする内燃機関の吸気装置。
【請求項２】
前記支持部(71)は、前記吸気通路(P)を上下に仕切るように固定された仕切り支持板(71)であり、
前記延出スライド板(72)は、前記仕切り支持板(71)に重なり摺動自在に支持され、吸気下流側に延出して吸気ポート(44)の湾曲部に進退自在に設けられることを特徴とする請求項１記載の内燃機関の吸気装置。
【請求項３】
内燃機関が低負荷状態のときに前記延出スライド板(72)を進行させて上側吸気通路(Up)を絞り、高負荷状態のときに前記延出スライド板(72)を退行させることを特徴とする請求項２記載の内燃機関の吸気装置。
【請求項４】
前記仕切り支持板(71)の上流側に延長するように設けられた仕切板(60)により前記吸気通路(P)が仕切られて前記上側吸気通路(Up)と前記下側吸気通路(Lp)が上流側に延長して形成され、
前記仕切板(60)の上流端縁の近傍で基端を軸支されて吸気上流側に向けた先端を上下に揺動自在として吸気振分け弁(61)が設けられ、
吸気制御手段により内燃機関が低負荷状態のときは前記吸気振分け弁(61)で下側吸気通路(Lp)を狭くして吸気を大部分上方に振り分けて前記上側吸気通路(Up)を流れるように前記吸気振分け弁(61)を位置決めするとともに前記延出スライド板(72)を進行させ、高負荷状態のときは前記吸気振分け弁(61)を前記仕切板(60)と同一平面をなすようにして前記仕切板(60)に仕切られた割合に吸気を上下に振り分けるように前記吸気振分け弁(61)を位置決めするとともに前記延出スライド板(72)を退行させることを特徴とする請求項３記載の内燃機関の吸気装置。
【請求項５】
前記仕切り機構(70)は、前記吸気振分け弁(61)の回動により吸気上流側に引っ張られるワイヤ(84)の他端がばねにより吸気下流側の進行方向に付勢された前記延出スライド板(72)に結着され、前記吸気振分け弁(61)の回動に応じて前記延出スライド板(72)が進退することを特徴とする請求項４記載の内燃機関の吸気装置。
【請求項６】
前記仕切り機構(70)は、前記スロットル弁(22)の回動により吸気上流側に引っ張られるワイヤ(74)の他端がばね(73)により吸気下流側の進行方向に付勢された前記延出スライド板(72)に結着され、前記スロットル弁(22)の回動に応じて前記延出スライド板(72)が進退することを特徴とする請求項３記載の内燃機関の吸気装置。
【請求項７】
前記仕切り機構(70)は、前記吸気制御手段(66)により制御されるアクチュエータにより前記延出スライド板(72)を進退させることを特徴とする請求項１ないし請求項３のいずれか１項記載の内燃機関の吸気装置。
【発明の詳細な説明】
【技術分野】
【０００１】
本発明は、車両に搭載される内燃機関の吸気装置に関する。
【背景技術】
【０００２】
内燃機関の燃焼室から延出する吸気ポートの下側壁面に吸気を直線状に制御する方向制御板（フラップ）を出没自在に設け、吸気弁のリフト量が小さいときに方向制御板を突出し、吸気弁のリフト量が大きいときは方向制御板を没するように制御することで、弁リフト量の全リフト領域で吸気流量を大きくして吸気効率を向上させる例がある（特許文献１参照）。
【先行技術文献】
【特許文献】
【０００３】
【特許文献１】特開平６−１０８８６２号公報
【０００４】
特許文献１には、燃焼室内に生じるタンブルについては記載がないが、吸気ポートが燃焼室に案内する吸気のうちで吸気弁口のシリンダ軸（シリンダボアの中心軸）に近い内側縁側から燃焼室に吸入される吸気が、排気側に向け流入しながらシリンダボアの排気側を下降した後にピストン頂面に沿って流れを曲げて吸気側を上昇することで縦渦いわゆるタンブルが発生するので、吸気ポートの下側壁面から突出する方向制御板は吸気を排気側に向けて燃焼室に流入し、タンブルを発生し易い。
タンブルを形成することで、燃焼室上部の点火プラグの周りに燃料を送り成層化して燃焼効率を向上させることができる。
【発明の概要】
【発明が解決しようとする課題】
【０００５】
しかし、吸気ポートの壁面から方向制御板が出没するので、方向制御板が突出したときは、吸気ポートの流路面積が小さくなり、通気抵抗が発生して吸気効率を低下させる。
【０００６】
本発明は、かかる点に鑑みなされたもので、その目的とする処は、通気抵抗を小さくして吸気効率を良好に維持することができる内燃機関の吸気装置を供する点にある。
【課題を解決するための手段】
【０００７】
上記目的を達成するために、請求項１記載の発明は、
シリンダブロック(16)のシリンダボア(16b)内を摺動自在に嵌合されるピストン(25)の頂面と同頂面が対向するシリンダヘッド(17)の天井面(41)との間に燃焼室(40)が構成され、
前記シリンダヘッド(17)の前記天井面(41)に開口した吸気弁口(42)と排気弁口(43)から各々吸気ポート(44)と排気ポート(45)が互いに離れる方向に湾曲しながら延出して形成され、
吸気ポート(44)にインレットパイプ(20)が接続されて連続した吸気通路(P)が構成され、
前記インレットパイプ(20)にスロットル弁(22)が設けられた内燃機関の吸気装置において、
前記吸気通路(P)が部分的に仕切り機構(70)により上側吸気通路(Up)と下側吸気通路(Lp)に仕切られ、
前記仕切り機構(70)は、支持部(71)に摺動自在に支持された延出スライド板(72)が吸気下流側に延出し吸気ポート(44)の湾曲部に進退自在に設けられることを特徴とする内燃機関の吸気装置。
【０００８】
請求項２記載の発明は、
請求項１記載の内燃機関の吸気装置において、
前記支持部(71)は、前記吸気通路(P)を上下に仕切るように固定された仕切り支持板(71)であり、
前記延出スライド板(72)は、前記仕切り支持板(71)に重なり摺動自在に支持され、吸気下流側に延出して吸気ポート(44)の湾曲部に進退自在に設けられることを特徴とする。
【０００９】
請求項３記載の発明は、
請求項２記載の内燃機関の吸気装置において、
内燃機関が低負荷状態のときに前記延出スライド板(72)を進行させて上側吸気通路(Up)を絞り、高負荷状態のときに前記延出スライド板(72)を退行させることを特徴とする。
【００１０】
請求項４記載の発明は、
請求項３記載の内燃機関の吸気装置において、
前記仕切り支持板(71)の上流側に延長するように設けられた仕切板(60)により前記吸気通路(P)が仕切られて前記上側吸気通路(Up)と前記下側吸気通路(Lp)が上流側に延長して形成され、
前記仕切板(60)の上流端縁の近傍で基端を軸支されて吸気上流側に向けた先端を上下に揺動自在として吸気振分け弁(61)が設けられ、
吸気制御手段により内燃機関が低負荷状態のときは前記吸気振分け弁(61)で下側吸気通路(Lp)を狭くして吸気を大部分上方に振り分けて前記上側吸気通路(Up)を流れるように前記吸気振分け弁(61)を位置決めするとともに前記延出スライド板(72)を進行させ、高負荷状態のときは前記吸気振分け弁(61)を前記仕切板(60)と同一平面をなすようにして前記仕切板(60)に仕切られた割合に吸気を上下に振り分けるように前記吸気振分け弁(61)を位置決めするとともに前記延出スライド板(72)を退行させることを特徴とする。
【００１１】
請求項５記載の発明は、
請求項４記載の内燃機関の吸気装置において、
前記仕切り機構(70)は、前記吸気振分け弁(61)の回動により吸気上流側に引っ張られるワイヤ(84)の他端がばねにより吸気下流側の進行方向に付勢された前記延出スライド板(72)に結着され、前記吸気振分け弁(61)の回動に応じて前記延出スライド板(72)が進退することを特徴とする。
【００１２】
請求項６記載の発明は、
請求項３記載の内燃機関の吸気装置において、
前記仕切り機構(70)は、前記スロットル弁(22)の回動により吸気上流側に引っ張られるワイヤ(74)の他端がばね(73)により吸気下流側の進行方向に付勢された前記延出スライド板(72)に結着され、前記スロットル弁(22)の回動に応じて前記延出スライド板(72)が進退することを特徴とする請求項３記載の内燃機関の吸気装置。
【００１３】
請求項７記載の発明は、
請求項１ないし請求項３のいずれか１項記載の内燃機関の吸気装置において、
前記仕切り機構(70)は、前記吸気制御手段(66)により制御されるアクチュエータにより前記延出スライド板(72)を進退させることを特徴とする。
【発明の効果】
【００１４】
請求項１記載の内燃機関の吸気装置によれば、吸気通路(P)が部分的に仕切り機構(70)により上側吸気通路(Up)と下側吸気通路(Lp)に仕切られ、仕切り機構(70)は、支持部(71)に摺動自在に支持された延出スライド板(72)が吸気下流側に延出し吸気ポート(44)の湾曲部に進退自在に設けられるので、内燃機関の負荷状態の関係なく通気抵抗を可及的に小さくして吸気効率を良好に維持することができる。
【００１５】
請求項２記載の内燃機関の吸気装置によれば、支持部(71)は、吸気通路(P)を上下に仕切るように固定された仕切り支持板(71)であり、延出スライド板(72)は、仕切り支持板(71)に重なり摺動自在に支持され、吸気下流側に延出して吸気ポート(44)の湾曲部に進退自在に設けられるので、仕切り支持板(71)から延出スライド板(72)を進行させたとき、吸気通路(P)を長尺に亘って上下に仕切ることができ、吸気を円滑に案内することができる。
【００１６】
請求項３記載の内燃機関の吸気装置によれば、内燃機関が低負荷状態のときに前記延出スライド板(72)を進行させて上側吸気通路(Up)を絞り、高負荷状態のときに前記延出スライド板(72)を退行させるので、内燃機関が低負荷状態のときに延出スライド板(72)を進行させて上側吸気通路(Up)を絞り、高負荷状態のときに延出スライド板(72)を退行させるので、内燃機関の負荷状態の関係なく通気抵抗を可及的に小さくして吸気効率を良好に維持することができるともに、内燃機関が低負荷状態のとき、延出スライド板(72)を進行させて上側吸気通路(Up)をさらに上側に絞ることで、流速を高めた吸気を排気側に向けて燃焼室(40)に流入して強い渦流のタンブルを発生させて燃焼効率を向上させることができ、内燃機関が高負荷状態のときは、延出スライド板(72)を退行させることで、タンブルを適度に抑える代わりに、通気抵抗を小さくして吸気効率を高めることができるため、内燃機関の負荷状態に応じてタンブルの渦流の強さを調整して燃焼効率の最適化を図ることができる。
【００１７】
請求項４記載の内燃機関の吸気装置によれば、前記仕切り支持板(71)の上流側に延長するように設けられた仕切板(60)により前記吸気通路(P)が仕切られて前記上側吸気通路(Up)と前記下側吸気通路(Lp)が上流側に延長して形成され、前記仕切板(60)の上流端縁の近傍で基端を軸支されて吸気上流側に向けた先端を上下に揺動自在として吸気振分け弁(61)が設けられ、吸気制御手段により内燃機関が低負荷状態のときは前記吸気振分け弁(61)で下側吸気通路(Lp)を狭くして吸気を大部分上方に振り分けて前記上側吸気通路(Up)を流れるように前記吸気振分け弁(61)を位置決めするとともに前記延出スライド板(72)を進行させ、高負荷状態のときは前記吸気振分け弁(61)を前記仕切板(60)と同一平面をなすようにして前記仕切板(60)に仕切られた割合に吸気を上下に振り分けるように前記吸気振分け弁(61)を位置決めするとともに前記延出スライド板(72)を退行させるので、内燃機関が低負荷状態のとき吸気振分け弁(61)により全ての吸気が流れる上側吸気通路(Up)を、延出スライド板(72)を進行させて絞ることになるので、益々強い渦流のタンブルを形成することができる。
【００１８】
請求項５記載の内燃機関の吸気装置によれば、前記仕切り機構(70)は、吸気振分け弁(61)の回動により吸気上流側に引っ張られるワイヤ(84)の他端がばねにより吸気下流側の進行方向に付勢された延出スライド板(72)に結着され、吸気振分け弁(61)の回動に応じて延出スライド板(72)が進退するので、吸気振分け弁(61)の回動を利用して簡単な構造で延出スライド板(72)を内燃機関の負荷状態に応じて進退させることができる。
【００１９】
請求項６記載の内燃機関の吸気装置によれば、前記仕切り機構(70)は、スロットル弁(22)の回動により吸気上流側に引っ張られるワイヤ(74)の他端がばね(73)により吸気下流側の進行方向に付勢された延出スライド板(72)に結着され、前記スロットル弁(22)の回動に応じて延出スライド板(72)が進退するので、スロットル弁(22)の回動を利用して簡単な構造で延出スライド板(72)を内燃機関の負荷状態に応じて進退させることができる。
【００２０】
請求項７記載の内燃機関の吸気装置によれば、前記仕切り機構(70)は、前記吸気制御手段(66)により制御されるアクチュエータにより延出スライド板(72)を進退させるので、アクチュエータを駆動制御することで延出スライド板(72)を内燃機関の負荷状態に応じて進退させることができる。
【図面の簡単な説明】
【００２１】
【図１】本発明の一実施の形態に係る内燃機関を搭載した自動二輪車の右側面図である。
【図２】同内燃機関の右側断面図である。
【図３】シリンダブロックの上面図である。
【図４】シリンダヘッドの下面図である。
【図５】燃焼室の天井面の説明図である。
【図６】低負荷状態における内燃機関の要部断面図である。
【図７】高負荷状態における内燃機関の要部断面図である。
【図８】仕切り機構の斜視図である。
【図９】スロットル弁の斜視図である。
【図１０】別の実施の形態に係る内燃機関の低負荷状態における要部断面図である。
【図１１】低負荷状態における同内燃機関の要部断面図である。
【図１２】高負荷状態における同内燃機関の要部断面図である。
【発明を実施するための形態】
【００２２】
以下、本発明に係る一実施の形態について図１ないし図９に基づいて説明する。
図１は、本実施の形態に係る内燃機関10を搭載した自動二輪車１の全体側面図である。
【００２３】
本自動二輪車１の車体フレーム２は、ヘッドパイプ２ａから後方へ左右一対のメインフレーム２ｂ，２ｂが延出した後に下方に屈曲して急傾斜部２ba，２baを形成し、その下部をくの字に前方に屈曲させて下端部に至っている。
またヘッドパイプ２ａから斜め急角度に下方へ左右一対のダウンフレーム２ｃ，２ｃが、側面視でメインフレーム２ｂの急傾斜部２baに略平行に延出している。
【００２４】
メインフレーム２ｂ，２ｂの急傾斜部２ba，２baの上部からはシートレール２ｄ，２ｄが後方に延出し、同シートレール２ｄ，２ｄの中央部と急傾斜部２ba，２baの下部とを連結したバックステー２ｅ，２ｅがシートレール２ｄ，２ｄを支持している。
【００２５】
以上のような車体フレーム２において、ヘッドパイプ２ａにはフロントフォーク３が枢支され、その下端に前輪４が軸支され、メインフレーム２ｂ，２ｂの下部に設けられたピボットプレート２ｆに前端を軸支されたリヤフォーク５が後方へ延出し、その後端に後輪６が軸支され、リヤフォーク５の後部とシートレール２ｄ，２ｄの中央部との間にリヤクッション７が介装されている。
メインフレーム２ｂ，２ｂには燃料タンク８が架設され、燃料タンク８の後方にシート９がシートレール２ｄ，２ｄに支持されて設けられている。
【００２６】
車体フレーム２に搭載される内燃機関10は、ＳＯＨＣ型２バルブの単気筒４ストローク内燃機関であり、車体に対してクランク軸20を車体幅方向に指向させ、気筒を若干前傾させて起立した姿勢で懸架される。
【００２７】
内燃機関10のクランク軸12を回転自在に軸支するクランクケース11は、クランク軸12の後方に配設されるメイン軸13とカウンタ軸14の間に変速歯車機構15が構成されており、カウンタ軸14は出力軸であり、後輪６の回転軸との間にチェーン（図示せず）が架渡され動力が後輪６に伝達される。
【００２８】
図２を参照して、クランクケース11の上には、１本の鋳鉄製のシリンダライナ16Ｌが鋳込まれたシリンダブロック16と、シリンダブロック16の上にガスケットを介してシリンダヘッド17が重ねられ、スタッドボルトにより一体に締結され、シリンダヘッド17の上方をシリンダヘッドカバー18が覆っている。
クランクケース11の上に重ねられるシリンダブロック16，シリンダヘッド17，シリンダヘッドカバー18は、クランクケース11から若干前傾した姿勢で上方に延出している（図１，図２参照）。
【００２９】
このように車体フレームに搭載された内燃機関10の若干前傾して立設されたシリンダヘッド16から後方に連結管19を介してインレットパイプ20が延出し、インレットパイプ20にはスロットル弁22を内蔵するバタフライ型のスロットルボディ21が設けられるとともに、インジェクタ23が装着され、さらに後記する吸気振分け弁61が設けられている。
【００３０】
このインレットパイプ20の後端に連結されるエアクリーナ24が側面視でメインフレーム２ａとシートレール２ｄとバックステー２ｅに囲まれた空間に配設される（図１参照）。
また、シリンダヘッド13から前方に延出した排気管25は、下方に屈曲し、さらに後方に屈曲してクランクケース12の下面に沿って後方にかつ右側に寄って後輪６の右側に配置されたマフラー26に連結している。
【００３１】
図２を参照して、クランクケース11は左右割りで、左右クランクケースの合せ面に形成された開口にシリンダライナ16Ｌの下端部が嵌入してシリンダブロック16が若干前傾して上方に突出しており、同シリンダライナ16Ｌの内部のシリンダボア16ｂにピストン25が往復摺動自在に嵌合され、ピストン25のピストンピン25ｐとクランク軸12のクランクピン12ｐとの間をコンロッド26が連接してクランク機構を構成している。
【００３２】
シリンダブロック16のシリンダボア16ｂ内を摺動するピストン25の頂面25ｔと同頂面25ｔが対向するシリンダヘッド17の天井面41との間に燃焼室40が構成される。
シリンダヘッド17には、天井面41にシリンダボア16ｂの中心軸であるシリンダ軸Ｃに関して互いに反対位置に１つずつ吸気弁口42と排気弁口43が燃焼室40に臨んで開口されるとともに、吸気弁口42と排気弁口43から各々吸気ポート44と排気ポート45が互いに離れる方向に湾曲しながら延出して形成されている。
【００３３】
吸気ポート44は、吸気弁口42から後方に延出し、連結管19を介してインレットパイプ20に連通し、排気ポート45は排気管25に連結される。
シリンダヘッド16に一体に嵌着された弁ガイド34ｉ，34ｅにそれぞれ摺動可能に支持される吸気弁46および排気弁47は、シリンダヘッド13の上に設けられる動弁機構30により駆動されて、吸気ポート44の吸気弁口42および排気ポート45の排気弁口43をクランク軸12の回転に同期して開閉する。
【００３４】
図２を参照して、動弁機構30は、シリンダヘッド17の上に１本のカム軸31が左右方向に指向して軸支されたSOHC型内燃機関の動弁機構であり、カム軸31の斜め前後上方にロッカアームシャフト32ｅ，32ｉが支持され、後方のロッカアームシャフト32ｉに吸気ロッカアーム33ｉが揺動自在に中央を軸支され、前方のロッカアームシャフト32ｅに排気ロッカアーム33ｅが揺動自在に中央を軸支されている。
【００３５】
吸気ロッカアーム33ｉの一端は、カム軸31の吸気カムロブに接し、他端がスプリングで付勢された吸気弁46のバルブステム46ｓの上端に調整ねじを介して接し、排気ロッカアーム33ｅの一端は、カム軸31の排気カムロブに接し、他端がスプリングで付勢された排気弁47のバルブステム47ｓの上端に調整ねじを介して接し、カム軸31の回転により吸気ロッカアーム33ｉと排気ロッカアーム33ｅが揺動して吸気弁46と排気弁47を開閉駆動する。
【００３６】
図３は、シリンダブロック16の上面図であり、シリンダヘッド17との合せ面16ｆにシリンダボア16ｂの円孔と動弁機構30に動力を伝達するチェーンを挿通するチェーン室16ｃの矩形孔が穿設されている。
図４は、シリンダブロック16に重ね合わされるシリンダヘッド17の下面図であり、シリンダブロック16に合せ面16ｆに対向する合せ面17ｆに、シリンダボア16ｂに対応して燃焼室40の天井面41が凹んで形成されるとともに、チェーン室16ｃに対応して連通するチェーン室17ｃが穿設されている。
【００３７】
シリンダヘッド17の合せ面17ｆにおける燃焼室40の天井面41の円形開口縁41ｓがシリンダボア16ｂの円孔に一致する。
天井面41の後側に大径の吸気弁口42が開口し、天井面41の前側に吸気弁口42より幾らか小径の排気弁口43が開口している。
また、天井面41には点火プラグ（図示せず）が先端を突出させるプラグ孔48が穿設されている。
【００３８】
図５は、シリンダヘッド17の燃焼室40をシリンダ軸Ｃの軸方向に視た、すなわちシリンダ軸方向視で示した図であり、同図５を参照して、吸気弁口42が燃焼室40の天井面41のシリンダボア16ｂの円孔に対応する円形の天井面開口縁41ｓよりシリンダ軸方向視で外側にはみ出してオフセットしており、吸気弁口42は天井面開口縁41ｓからはみ出した三日月状のはみ出し部42ａ（図５の散点で示した部分）を有する。
【００３９】
吸気弁口42の開口縁42ｓの開口全周長に対するはみ出し部42ａの開口周長の割合をマスキング割合Ｒｍとすると、本吸気弁口42のオフセットによるマスキング割合Ｒｍは20〜50％程度である。
【００４０】
また、図５を参照して、天井面41には、吸気弁口42と排気弁口43を長径方向両側に囲む楕円状の横断面形状を有してドーム状凹部51が形成されており、天井面41のうちドーム状凹部51の外側の左右１対の三日月状部分にそれぞれスキッシュ52，52が形成されている。
【００４１】
そして、吸気弁口42の外周囲に、吸気弁口42の三日月状のはみ出し部42ａの両端部辺りから吸気弁口42の開口縁42ｓに沿って湾曲した１対のガイド壁面53，53が、互いに対向して前記排気弁口43側に向けて徐々に拡開して形成されている。
【００４２】
以上のように形成されたシリンダヘッド17の燃焼室40の天井面41に対して、シリンダブロック16のシリンダボア16ｂは、図３および図６，図７，図８に示すように、シリンダボア16ｂのシリンダヘッド17側の開口縁における吸気弁口42のはみ出し部42ａに対向する後側部分を吸気弁46の移動方向に吸気弁46のかさ部46ｐ周縁に沿って最大バルブリフト位置まで切り欠いた切欠き円曲面55が形成されている。
【００４３】
図７，図８，図９に示すように、切欠き円曲面55は、鋳鉄製のシリンダライナ16Ｌが鋳込まれたアルミ合金製のシリンダブロック16のシリンダライナ16Ｌの端面を覆う部分に斜めに切り欠かれて形成されている。
【００４４】
この切欠き円曲面55に沿って切欠き円曲面55に近接して吸気弁46のかさ部46ｐ周縁が移動するので、吸気弁46が開いて最大バルブリフト位置まで移動する間、吸気弁口42の外側縁側（はみ出し部42ａ側）からの吸気は、吸気弁46のかさ部46ｐ周縁と切欠き円曲面55との極めて狭い隙間を通らなければならず燃焼室40への吸入が殆ど妨げられマスキングされた状態にある。
【００４５】
したがって、吸気弁口42の外側縁側からの吸気は、マスキングされて燃焼室40には僅かに吸入されるだけで、吸気弁口42の内側縁側からの吸入が主になり、よってタンブルが発生し易い構造となっている。
【００４６】
なお、ピストン25の頂面25ｔの周縁部の吸気弁口42のはみ出し部42ａに対向する部分が吸気弁46のかさ部46ｐの端面46pfと平行に切り欠かれてピストン切欠き面56が形成されており（図６参照）、吸気行程でピストン25の下降とともに吸気弁46が開弁しリフトするときに、外側縁側からの吸気の流入方向とピストン切欠き面(56)が垂直となるため、吸気弁口42の外側縁側から燃焼室40に吸気の吸入が促されることはなく、逆タンブルの発生がより抑えられている。
【００４７】
そして、吸気系のインレットパイプ20から連結管19を介して吸気ポート44に至る吸気通路Ｐにおいて、吸気ポート44の上流側に仕切り機構70が設けられて、仕切り機構70により吸気ポート44が上側吸気通路Ｕｐと下側吸気通路Ｌｐに仕切られている。
【００４８】
仕切り機構70は、吸気通路Ｐ（吸気ポート44）を上下に仕切るように仕切り支持板71が吸気ポート44の上流部に上下を半分に仕切って固定されている。
仕切り支持板71を上下いずれかに偏って設けるよりも、上下を半分に仕切る位置に設けることで、通気抵抗を極力小さくして吸気効率の向上を図ることができる。
【００４９】
図８に示すように、仕切り機構70の仕切り支持板71は、扁平な直方体形状をなし、内部にスリット状の空隙71ｓが形成されて薄い箱状をなし、空隙71ｓに左右横長矩形のスライド基板72ａが前後に摺動自在に嵌挿されており、スライド基板72ａから横幅を若干狭くした延出スライド板72が仕切り支持板71の前壁71ｆを貫通して前方に長尺に延出している。
【００５０】
したがって、延出スライド板72は、スライド基板72ａとともに仕切り支持板71に重なり摺動自在に支持されて、仕切り支持板71から突出した部分が前後に進退する。
延出スライド板72は、仕切り支持板71に支持されて吸気ポート44の湾曲部に向かって進退するので、延出スライド板72が進行したときは、先端が外側湾曲面に近づき上側吸気通路Ｕｐをさらに上側に絞り上側吸気通路Ｕｐの通路面積を狭める（図６参照）。
【００５１】
図８を参照して、仕切り機構70の仕切り支持板71の内部空隙71ｓには、仕切り支持板71の後壁71ｒとスライド基板72ａとの間に左右１対のスプリング73，73が介装されて、スライド基板72ａおよび延出スライド板72を前方に押圧付勢している。
【００５２】
そして、スライド基板72ａの左右に一端を結着した１対のワイヤ74，74が、後方に延びて、仕切り支持板71の後壁71ｒの左右に穿孔された小孔71ｈ，71ｈを貫通して、さらに後方に延びている。
【００５３】
後方に延びた１対のワイヤ74，74は、後端がスロットル弁22に結着される。
図９に示すように、バタフライ型のスロットル弁22には、下流側の面の下半分に左右１対の扇形状をしたリール板75，75が立設されている。
リール板75は、約90度開いた扇形状をして、扇形の一方の端縁がスロットル弁22の下流側の面にあって垂直に突出してスロットル弁22に一体に形成されている。
【００５４】
１対のリール板75，75の円弧面には周方向に溝75ｖ，75ｖが形成されており、前記後方に延びた左右１対のワイヤ74，74は、それぞれ左右のリール板75，75の溝75ｖ，75ｖに嵌り巻付いて、端部がスロットル弁22の下端部に結着されている。
【００５５】
スロットル弁22が吸気通路Ｐを閉じているとき、あるいは図６に示すように、スロットル弁22のスロットル開度が小さいとき、仕切り機構70の延出スライド板72がスプリング73の付勢力により進行して上側吸気通路Ｕｐの通路面積を狭めている。
【００５６】
図６を参照して、スロットル開度が小さく内燃機関10が低負荷状態にあるとき、延出スライド板72が進行することで上側吸気通路Ｕｐをさらに上側に絞り上側吸気通路Ｕｐの通路面積を徐々に小さくするので、上側吸気通路Ｕｐを流れる吸気の流速が高速化して、流速を高めた吸気が上側吸気通路Ｕｐの上側湾曲面に沿って流れ、吸気弁口42の内側縁側から燃焼室(40)に流入して排気側に流れるため、強い渦流のタンブルを発生させて燃焼効率を向上させることができる。
【００５７】
前記したように、吸気弁口42の外側縁側からの吸気はマスキングされているので、逆タンブルの発生は抑制されこともあって、より強い渦流のタンブルを発生させることができる。
【００５８】
そして、スロットル弁22を図６で時計回りに回動し、スロットル開度を大きくすると、リール板75，75が一体に回動してワイヤ74，74を巻き取るように後方に引っ張るので、延出スライド板72がスプリング73の付勢力に抗して後方に退行する。
【００５９】
図７は、スロットル開度が最大で内燃機関10が高負荷状態のときを示しており、延出スライド板72が退行して、延出スライド板72による上側吸気通路Ｕｐの通路面積は、下側通路Ｌｐの通路面積と変わりない。
そのため、吸気は上側吸気通路Ｕｐと下側通路Ｌｐを同じように流れ、タンブルは適度に抑えられる代わりに、通気抵抗を小さくして吸気効率を高めることができる。
【００６０】
タンブルの状態は、クランク軸の１回転当りのタンブルの回転数であるタンブル比Ｒｔで表わすことができる。
タンブル比Ｒｔ＝タンブル回転角速度／クランク軸角速度
タンブル比Ｒｔが大きければ、強い渦流がタンブルが発生している。
【００６１】
内燃機関10の負荷状態すなわちスロットル弁22のスロットル開度θに対する延出スライド板72のスライド量ｓ，タンブル比Ｒｔ，吸気流量Ｑの変化を、図１０に示す。
延出スライド板72のスライド量ｓは、仕切り機構70によりスロットル開度θに比例して大きくなる。
【００６２】
タンブル比Ｒｔは、スロットル開度θが小さい低負荷状態では最も大きく、スロットル開度θが大きくなるに従い徐々にタンブル比Ｒｔは小さく抑えられている。
一方、吸気流量Ｑは、スロットル開度θが大きくなる程、増加して吸気効率が向上している。
【００６３】
延出スライド板72がスロットル弁22とワイヤ74により連結され、スロットル弁22の回動を利用して簡単な構造で、延出スライド板72を内燃機関の負荷状態に応じて進退させることができる。
【００６４】
次に、別の実施の形態に係る吸気装置について図１１および図１２に基づき説明する。
本吸気装置では、前記実施の形態の仕切り機構70の仕切り支持板71および延出スライド板72の構成は、そのまま吸気ポート44に設けられており、その他の同じ部材は同じ符号を使用する。
【００６５】
吸気通路Ｐ内で、仕切り支持板71の上流側に延長するように仕切板60が設けられ、同仕切板60により吸気通路Ｐが仕切られて前記上側吸気通路Ｕｐと前記下側吸気通路Ｌｐが上流側に延長して形成されている。
スロットル弁22の下流側で、仕切板60の上流端縁の近傍で基端を軸支された吸気振分け弁61が設けられている。
【００６６】
吸気振分け弁61は、先端を吸気上流側に向け揺動自在としたフラッグバルブであり、吸気を上下に振り分けることができ、ＥＣＵ（電子制御ユニット）により制御される。
または、リンクによりスロットル弁22と連動させるロストモーション機構によりスロットル弁22がある程度開いてから吸気振分け弁61が開くようにする。
内燃機関が低負荷状態のときは吸気を大部分上方に振り分けて上側吸気通路Ｕｐを流れるように吸気振分け弁61を下方に揺動して先端を吸気通路Ｐの下側内周面に接して位置決めし（図１１参照）、高負荷状態のときは仕切板60に仕切られた割合（上下半分の割合）に吸気を上下に振り分けるように、すなわち吸気通路Ｐと平行に吸気振分け弁(61)を位置決めする。
【００６７】
この吸気振分け弁61の下面に左右１対の扇形状をしたリール板85，85が立設されている。
１対のリール板75，75の円弧面には周方向に溝が形成されており、前記仕切り機構70の後方に延びた左右１対のワイヤ84，84が、それぞれ左右のリール板85，85の溝に嵌り巻付いて、端部が吸気振分け弁61の下端部に結着されている。
【００６８】
図１１を参照して、内燃機関10が低負荷状態にあるとき、吸気振分け弁61を下方に揺動して下側吸気通路Ｌｐを閉じ、吸気を大部分上方に振り分けて上側吸気通路(Up)を流れるようにし、かつ吸気振分け弁61のリール板85に巻き付いたワイヤ84を介して延出スライド板72が前方に進行し、上側吸気通路Ｕｐをさらに上側に絞り上側吸気通路Ｕｐの通路面積を徐々に小さくするので、上側吸気通路Ｕｐを上側湾曲面に沿って流れる吸気が流速を高めて吸気弁口42の内側縁側から燃焼室(40)に流入して排気側に流れるため、かなり強い渦流のタンブルを発生させて燃焼効率を向上させることができる。
【００６９】
図１２を参照して、内燃機関10が高負荷状態にあるときは、吸気振分け弁61を吸気通路Ｐと平行にし上側吸気通路Ｕｐと下側吸気通路Ｌｐを流れる吸気量を同じとし、かつ吸気振分け弁61のリール板85に巻き付いたワイヤ84を介して延出スライド板72が後方に退行するので、吸気は上側吸気通路Ｕｐと下側通路Ｌｐを同じように流れ、タンブルは適度に抑えられ、代わりに通気抵抗を小さくして吸気効率を高めることができる。
【００７０】
延出スライド板72が吸気振分け弁61とワイヤ84により連結され、吸気振分け弁61の揺動を利用して簡単な構造で、延出スライド板72を内燃機関の負荷状態に応じて進退させることができる。
【００７１】
以上の実施の形態では、延出スライド板72の進退をワイヤを介してスロットル弁22または吸気振分け弁61の回動により行っていたが、吸気通路Ｐを貫通する回動軸をモータやソレノイドなどのアクチュエータが外側から回動し、同回動軸に嵌着されたリールに仕切り機構の後方に延びたワイヤが巻付き、ＥＣＵにより制御されるアクチュエータの駆動によりワイヤを介して延出スライド板を進退させるようにしてもよい。
【符号の説明】
【００７２】
１…自動二輪車、２…車体フレーム、10…内燃機関、11…クランクケース、12…クランク軸、13…メイン軸、14…カウンタ軸、15…クランクケース、16…シリンダブロック、16ｂ…シリンダボア、17…シリンダヘッド、18…シリンダヘッドカバー、19…連結管、
20…インレットパイプ、21…スロットルボディ、22…スロットル弁、23…インジェクタ、24…エアクリーナ、25…ピストン、26…コンロッド、
30…動弁機構、31…カム軸、32ｅ，32ｉ…ロッカアームシャフト、33ｉ…吸気ロッカアーム、33ｅ…排気ロッカアーム、34ｉ，34ｅ…弁ガイド、
40…燃焼室、41…天井面、42…吸気弁口、42ａ…はみ出し部、43…排気弁口、44…吸気ポート、45…排気ポート、46…吸気弁、46ｐ…かさ部、46pf…端面、46ｓ…吸気バルブステム、47…排気弁、48…プラグ孔、
51…ドーム状凹部、52…スキッシュ、53…ガイド壁面、54…、55…切欠き円曲面、56…ピストン切欠き面。
60…仕切板、61…吸気振分け弁、62…モータ駆動機構、65…ECU、66…吸気制御手段、
70…仕切り機構、71…仕切り支持板、72…延出スライド板、73…スプリング、74…ワイヤ、75…リール板、
84…ワイヤ、85…リール板。
【図１】
2013213409.tif 000003
【図２】
2013213409.tif 000004
【図３】
2013213409.tif 000005
【図４】
2013213409.tif 000006
【図５】
2013213409.tif 000007
【図６】
2013213409.tif 000008
【図７】
2013213409.tif 000009
【図８】
2013213409.tif 000010
【図９】
2013213409.tif 000011
【図１０】
2013213409.tif 000012
【図１１】
2013213409.tif 000013
【図１２】
2013213409.tif 000014